(57)【要約】【課題】  ＬＥＤプレートの技術的特徴を生かした照明装置を提供することとし、例えば、書籍等を立て掛けるブックエンドとＬＥＤプレートとを結合させて、書籍等の背表紙等の情報を見易く、検索し易くすることができる照明装置を提供すること。【解決手段】  ブックエンド１は、本体３と足５により、略Ｌ字型に構成され、ブックエンド１の本体３は、横辺としての円弧状辺Ｗ１、縦辺Ｗ２及び奥行辺Ｗ３を備えると共に、前記縦辺Ｗ２及び奥行辺Ｗ３により構成される側面３０に、前記縦辺Ｗ２に沿って、且つ、円弧状辺Ｗ１に隣接して配置される光源部７を備えている。かかる光源部７は、前記側面３０に略平行に書籍Ｂを並列させたときに、それらの書籍Ｂの横辺ｗ１及び縦辺ｗ２により構成される背面Ｂ１と交差する位置Ｘに、且つ、前記背面Ｂ１に臨むように配置されている。【選択図】        図１
2015095283.tif 000002
【特許請求の範囲】
【請求項１】
横辺、縦辺及び奥行辺を備えると共に、前記縦辺及び奥行辺により構成される側面に、前記縦辺に沿って配置される光源部を備える照明装置であって、
前記側面に照射対象物を並列させたときに、前記照射対象物の横辺及び縦辺により構成される背面と前記光源部とが交差する状態で前記光源部が背面に臨まれることを特徴とする照明装置
【請求項２】
光源部は、発光ダイオードのベアチップを直接基板に実装することにより構成されるプレートであって、基板の配線パターンに、前記ベアチップを接続し、そのベアチップの上からレンズ状のコーティング層を形成したことを特徴とする請求項１に記載の照明装置。
【請求項３】
前記横辺及び奥行辺により構成される底面に取り付けられる足を備えると共に、その足は前記側面の一端側に延在されていることを特徴とする請求項１又は２に記載の照明装置。
【請求項４】
前記横辺及び奥行辺により構成される底面に取り付けられる足を備えると共に、その足は前記側面の両端側に延在されていることを特徴とする請求項１又は２に記載の照明装置。
【請求項５】
前記照射対象物は書籍であることを特徴とする請求項１又は２に記載の照明装置から構成されるブックエンド。
【発明の詳細な説明】
【技術分野】
【０００１】
本願発明は、発光ダイオードを光源として用いたブックエンド型の照明装置に関する。
【背景技術】
【０００２】
出願人は、発光ダイオード（ＬＥＤ）のベアチップを直接基板に実装した面発光体（以下、ＬＥＤプレートとも称する）を研究、開発している。
かかるＬＥＤプレートは、基板の配線パターンに、ＬＥＤのベアチップを接続し、そのベアチップの上からレンズ状のコーティング層を形成したものである。
そのＬＥＤプレートの技術的特徴は、プレートとして薄く構成できること、このＬＥＤプレートを形材等に取付けることで、その薄さと剛性を両立させたこと、また、点灯時にはレンズ状のコーティング層により光が綺麗に拡散されること等である。
【０００３】
出願人は、かかる特徴を備えたＬＥＤプレートを光源部として用いる製品の研究、開発も行っている。
【０００４】
その一端として、書籍等を立て掛けるブックエンドとＬＥＤプレートとを結合させて、書籍等の背表紙等の情報を見易く、検索し易くすることとし、先行技術調査を行ったところ、特許文献１及び同２の文献を発見した。
【０００５】
特許文献１は、書棚用照明装置及び照明装置付き書棚を開示するもので、書棚と照明装置の機能を複合化するとともに、意匠的なデザイン統一を得ることをその課題及び効果としている（段落０００４、同００１８）。
【０００６】
特許文献２は、照明装置を取り付けた器台３と曲立部８の間隔に書籍類を並べることができる蛍光灯スタンドを開示している。
【先行技術文献】
【特許文献】
【０００７】
【特許文献１】特開平９−２８２９３２号公報
【特許文献２】実公昭４７−３５６７２号公報
【発明の概要】
【発明が解決しようとする課題】
【０００８】
しかし、これらの文献に開示されている照明装置は、主として机上に置かれている本等を照明するもので、書棚に並べられている書籍と照明装置の関係については、それを開示することはない。
また、これらの文献に開示されている照明装置には蛍光灯が用いられており、照明装置の光源としての発光ダイオードの特徴を開示するものでもない。
【０００９】
そこで、本願発明では、ＬＥＤプレートの技術的特徴を生かした照明装置を提供することとし、例えば、書籍等を立て掛けるブックエンドとＬＥＤプレートとを結合させて、書籍等の背表紙等の情報を見易く、検索し易くする照明装置を提供することを目的とする。
【課題を解決するための手段】
【００１０】
上記課題を解決するため、本発明は、横辺、縦辺及び奥行辺を備えると共に、前記縦辺及び奥行辺により構成される側面に、前記縦辺に沿って配置される光源部を備える照明装置であって、前記側面に照射対象物を並列させたときに、前記照射対象物の横辺及び縦辺により構成される背面と前記光源部とが交差する状態で前記光源部が背面に臨まれることを特徴とする照明装置とした（請求項１の発明）。
【００１１】
上記発明において、前記光源部は、発光ダイオードのベアチップを直接基板に実装することにより構成されるＬＥＤプレートであって、基板の配線パターンに、ＬＥＤのベアチップを接続し、そのベアチップの上からレンズ状のコーティング層を形成したことを特徴とする照明装置とした（請求項２の発明）。
【００１２】
上記発明において、前記横辺及び奥行辺により構成される底面に取り付けられる足を備えると共に、その足は前記側面の一端側に延在していることを特徴とする照明装置とした（請求項３の発明）。
【００１３】
上記発明において、前記横辺及び奥行辺により構成される底面に取り付けられる足を備えると共に、その足は前記側面の両端側にそれぞれ延在していることを特徴とする照明装置とした（請求項４の発明）。
【００１４】
上記発明において、前記照射対象物は書籍であることを特徴とする前記照明装置から構成されるブックエンドとした（請求項５の発明）。
【発明の効果】
【００１５】
本願発明によれば、ＬＥＤプレートの技術的特徴を生かした照明装置を提供することができ、例えば、書籍等を立て掛けるブックエンドとＬＥＤプレートとを結合させることにより、書籍等の背表紙等の情報を見易く、検索し易くすることができる照明装置を提供することができる。
【図面の簡単な説明】
【００１６】
【図１】本願発明に係る照明装置としての左ブックエンドの斜視図、
【図２】同右ブックエンドの斜視図、
【図３】同左ブックエンドの正面図、
【図４】図３に示した矢視Ａ‐Ａ断面図、
【図５】図３に示した矢視Ｂ‐Ｂ断面図、
【図６】同左ブックエンドの光源部の詳細断面図、
【図７】同照明装置の使用状態説明図、
【図８】本願発明に係る照明装置としての中央ブックエンドの斜視図、
【図９】同ブックエンドの正面図、
【図１０】図９に示した矢視Ａ−Ａ断面図、
【図１１】図９に示した矢視Ｂ−Ｂ断面図、
【図１２】同照明装置の使用状態説明図である。
【発明を実施するための形態】
【００１７】
本発明に係る照明装置の実施例について、図面を参照しつつ説明する。
図１及び図２に図示する実施例に係る照明装置は、照射対象物として書籍Ｂを安定的に立掛ける左右のブックエンド１、２であって、それぞれ本体３、４と足５、６により、略Ｌ字型に構成されている。
左右のブックエンド１、２は、略同一に構成されているので、同一の符号を付すると共に、左ブックエンド１を右ブックエンド２に代表させて説明する。
【００１８】
図１のように、左ブックエンド（以下、単にブックエンドと称する）１の本体３は、横辺Ｗ１としての円弧状辺、縦辺Ｗ２及び奥行辺Ｗ３を備えると共に、前記縦辺Ｗ２及び奥行辺Ｗ３により構成される側面３０に、前記縦辺Ｗ２に沿って、且つ、円弧状辺Ｗ１に隣接して配置される光源部７としてのＬＥＤプレートを備えている。
前記側面３０に略平行に書籍Ｂを並列させたときに、前記ＬＥＤプレート７は書籍Ｂの横辺ｗ１及び縦辺ｗ２により構成される背面Ｂ１と交差する位置Ｘに、且つ、前記背面Ｂ１に臨むように配置されている。
【００１９】
即ち、横辺ｗ１、縦辺ｗ２及び奥行辺ｗ３からなる書籍Ｂに対し、本体３の円弧状辺Ｗ１及び縦辺Ｗ２のサイズは、書籍Ｂと略共通しているが、その奥行辺Ｗ３のサイズは、書籍Ｂよりも大きく、その超過する超過幅Ｗ４の側面３０に、前記ＬＥＤプレート７を備えている。そしてＬＥＤプレート７が書籍Ｂの背面Ｂ１としての背表紙に略直角に向かい合うこととなっていて、前記背面Ｂ１と前記ＬＥＤプレート７とが交差する状態で前記ＬＥＤプレート７が背面Ｂ１に臨んでいる。
そして、前記ＬＥＤプレート７から出射される光は、書籍Ｂの背表紙Ｂ１を照射するようになっている。
【００２０】
前記本体３は、書籍Ｂの外形と共通させるようなイメージで形成されており、前記円弧状辺Ｗ１は、書籍Ｂの背表紙の形態のように、ラウンド状に形成されており、恰も「光る本」のような構成となっている。
【００２１】
前記本体３の側面３０には、前記ＬＥＤプレート７を取付ける凹部３１（図４及び図６参照）が形成され、ここに前記プレート７が両面テープや接着剤等により貼付けられている。
なお、前記ＬＥＤプレート７は薄いこと（例えば厚さが約３ミリメートル）から、凹部３１を設けずに本体３に貼付けてもよい。
前記本体３の内部には、図４及び図５のように、スペース部３２が設けられており、ここに蓄電池等の電源部、これを制御する制御部等が収容されている。
【００２２】
前記足５は、その上に書籍Ｂを載せて、本体３を安定的に支持するもので、前記円弧辺Ｗ１及び奥行辺Ｗ３により構成される底面３３に取付けられ、その足５は前記側面３０の一端側に延在されている。
なお、前記スペース部３２は、底面３３側で開口されており、前記足５とカバー（図示なし）が、前記スペース部３２の蓋となっている。
【００２３】
前記ＬＥＤプレート７は、ＬＥＤのベアチップを直接基板７０に実装することにより構成されており、より具体的には、基板７０の配線パターン（図示せず）に、ベアチップ７１を接続し、図６のように、そのベアチップ７１の上からレンズ状のコーティング層７２を形成している。
【００２４】
前記ＬＥＤプレート７のオン、オフを制御するスイッチは、図示されていないが、例えば円弧辺Ｗ１及び縦辺Ｗ２により構成される背面３４や奥行辺Ｗ３の上部側に配置される。また、タッチスイッチにすることもできる。
【００２５】
以上のように構成されるブックエンドの使用例について、説明する。
図７のように、左右のブックエンド１、２の間に書籍Ｂを立て掛けると共に、前記ＬＥＤプレート７を点灯させて使用する。
【００２６】
以上のように構成される照明装置の作用効果は、次のようである。
１．  前記ＬＥＤプレート７から出射される光は、拡散されるように構成されているので、書籍Ｂの背表紙Ｂ１の全体に均一に入射され、背表紙Ｂ１において反射の法則に従い、反射される。
即ち、ＬＥＤにより生成される光は指向性が良いという特性を備えているが、
レンズ状のコーティング層７２を設けることにより、光を拡散させるようにしているので、各書籍Ｂの各背表紙Ｂ１に向けて入射されることとなる。
その結果、背表紙Ｂ１の情報が浮出るように認識することができ、書籍等の背表紙等の情報を見易く、検索し易くすることができる。
２．  左右のブックエンド１、２の各ＬＥＤプレート７、７は、対向する位置にあり、それぞれ出射される光が干渉し合い、光の強弱を形成させることができる。
よって、各書籍Ｂの各背表紙Ｂ１を明るく照射させることができ、書籍等の背表紙等の情報を見易く、検索し易くすることができる。
３．  前記本体３は、書籍Ｂの外形と共通するように形成され、恰も「光る本」のような構成となっているので、書籍Ｂと調和するようになっている。
４．  前記ＬＥＤプレート７は薄く構成されているので、直接本体３に貼付けることもでき、照明装置としての製造が容易である。
５．  ブックエンド１、２を机上に配置して本立てとして利用できると共に、電気スタンドにも利用できる。
【００２７】
上記実施例では書籍を立て掛けるブックエンドに構成されているが、本発明に係る照明装置はこれに限定されるものではなく、照明対象物をＣＤケースとする照明装置、商品とする商品陳列棚用の照明装置としてもよい。
かかる場合には、照明対象物に合わせるように外形の照明装置としてもよい。
また、本屋の店頭等に配置されるショーケース用の照明装置に用いてもよい。
【００２８】
次に、図８乃至図１１に基づき、別例のブックエンド１Ａの構成例について説明する。
該ブックエンド１Ａと前記ブックエンド１とが共通する構成は、同一の符号を付してそれらの説明を省略することとし、両者が異なる構成について説明する。
【００２９】
ブックエンド１Ａの本体３Ａは、図８〜図１１に図示されているように、縦辺Ｗ２及び奥行辺Ｗ３により構成される左右の各側面３０Ａ、３０Ａに、各縦辺Ｗ２に沿って、且つ、円弧状辺Ｗ１に隣接させて配置されている左右のＬＥＤプレート７、７を備えている。
また、前記円弧辺Ｗ１及び奥行辺Ｗ３により構成される底面３３に取り付けられる足８は、前記側面３０Ａ、３０Ａの両端からそれぞれ外側に延在されている。
【００３０】
かかる構成により、ブックエンド１Ａは、本体３Ａと足８により、略逆Ｔ字型構成されていて、次のように使用される。
ブックエンド１Ａの左右に書籍Ｂを立て掛けると共に、前記各ＬＥＤプレート７、７を点灯させるように使用される。
書籍Ｂの量が多いときには、図１２のように、前記ブックエンド１、２と共に、その略中央に配置してもよい。
その他の構成は、上記実施例と同様であって、同様な作用効果を奏する。
【００３１】
本発明は以上説明した実施例に限定されるものではなく、多くの変形が本発明の技術的思想内で当分野において、通常の知識を有する者により可能である。
【符号の説明】
【００３２】
１  ブックエンド  （左ブックエンド）    １Ａ  ブックエンド
２  ブックエンド  （右ブックエンド）
３  本体
３０  側面                              ３１  凹部
３２  スペース部                        ３３  底面
３４  背面
３Ａ  本体                              ３０Ａ、３０Ａ  側面
４  本体
５  足
６  足
７  光源部（ＬＥＤプレート）
７０  基板                              ７１  ベアチップ
７２  コーティング層
８  足
Ｗ１  横辺（円弧状辺）                  Ｗ２  縦辺
Ｗ３  奥行辺                            Ｗ４  超過幅
ｗ１  書籍Ｂの横辺                      ｗ２  書籍Ｂの縦辺
ｗ３  書籍Ｂの奥行辺
Ｂ  書籍
Ｂ１  背面（背表紙）
Ｘ  交差する位置
【図１】
2015095283.tif 000003
【図２】
2015095283.tif 000004
【図３】
2015095283.tif 000005
【図４】
2015095283.tif 000006
【図５】
2015095283.tif 000007
【図６】
2015095283.tif 000008
【図７】
2015095283.tif 000009
【図８】
2015095283.tif 000010
【図９】
2015095283.tif 000011
【図１０】
2015095283.tif 000012
【図１１】
2015095283.tif 000013
【図１２】
2015095283.tif 000014